(57)【要約】【課題】色むら特性が向上された面光源およびこれを備えたＬＣＤバックライトユニット(ｂａｃｋｌｉｇｈｔ  ｕｎｉｔ)が提供される。【解決手段】本発明は、複数個のＲ、Ｇ、Ｂ  ＬＥＤ素子が行と列に配列された面光源において、隣接している２つの緑色ＬＥＤと、これに隣接して一つの赤色ＬＥＤと青色ＬＥＤを順番に配置した第１ＬＥＤ配列、および隣接している２つの緑色ＬＥＤと、これに隣接して一つの青色ＬＥＤと赤色ＬＥＤを順番に配置した第２ＬＥＤ配列と、を含み、上記第１および第２ＬＥＤ配列は任意の行または列に配置され、上記第１および第２ＬＥＤ配列は２つの緑色ＬＥＤを取り囲むＬＥＤが赤色または青色ＬＥＤからなる面光源とこれを備えたＬＣＤバックライトユニットを提供する。【選択図】図４
2010245052.tif 000002
【特許請求の範囲】
【請求項１】
複数個の赤色ＬＥＤ，緑色ＬＥＤ、および青色ＬＥＤが行と列に配置された面光源において、
２つの緑色ＬＥＤ、一つの赤色ＬＥＤ、および一つの青色ＬＥＤを、これらの順に隣接して配置した第１ＬＥＤ配列、および、
２つの緑色ＬＥＤ、一つの青色ＬＥＤ、および一つの赤色ＬＥＤを、これらの順に隣接して配置した第２ＬＥＤ配列を含み、
前記第１および前記第２ＬＥＤ配列は任意の行または列に配置され、
前記２つの緑色ＬＥＤを取り囲むＬＥＤが、赤色ＬＥＤまたは青色ＬＥＤからなる
ことを特徴とする面光源。
【請求項２】
前記第１および第２ＬＥＤ配列は、各々複数で対を成して順番に繰り返し配置されることを特徴とする請求項１に記載の面光源。
【請求項３】
前記第１および第２ＬＥＤ配列は、各々その配置の位置が２個のＬＥＤ位相互ずれて(ｏｆｆｓｅｔ)配置され、２つの前記緑色ＬＥＤは相互上下または左右に重畳配置されない構造であることを特徴とする請求項２に記載の面光源。
【請求項４】
ＬＣＤパネルに付着されたＬＣＤバックライトユニットにおいて、
隣接している２つの緑色ＬＥＤと、これに隣接して一つの赤色ＬＥＤと青色ＬＥＤとを順番に配置した第１ＬＥＤ配列および、隣接している２つの緑色ＬＥＤと、これに隣接して一つの青色ＬＥＤと赤色ＬＥＤとを順番に配置した第２ＬＥＤ配列を含み、前記第１および第２ＬＥＤ配列は任意の行または列に配置され、前記第１および第２ＬＥＤ配列は２つの前記緑色ＬＥＤを取り囲むＬＥＤが赤色ＬＥＤまたは青色ＬＥＤからなる面光源と、
前記面光源から入射された光を均一に拡散させる拡散シート、および
前記拡散シートから拡散された光を集光する集光シートと、を含むことを特徴とするＬＣＤバックライトユニット。
【発明の詳細な説明】
【技術分野】
【０００１】
本発明は発光ダイオード(以下、ＬＥＤとする)を用いて、色むら特性が向上された面光源およびこれを備えた液晶表示装置(以下、ＬＣＤとする)バックライトユニット(ｂａｃｋｌｉｇｈｔ  ｕｎｉｔ)に関するものとして、より詳細には赤色、緑色および青色の光を発光するＬＥＤを適切に配置しながら、隣接している２つの緑色ＬＥＤを赤色または青色のＬＥＤが取り囲むよう配置することで色むら現象が除去され均一な白色光を得ることが出来る色むら特性が改善されたＬＥＤ面光源およびこれを具備したＬＣＤバックライトユニットに関する。
【背景技術】
【０００２】
従来のＬＣＤバックライトの光源として使用された冷陰極蛍光ランプ(Ｃｏｌｄ  Ｃａｔｈｏｄｅ  Ｆｌｕｏｒｅｓｃｅｎｔ  Ｌａｍｐ：ＣＣＦＬ、以下、「ＣＣＦＬ」と称する)は水銀ガスを使用するため環境汚染を及ぼす恐れがあり、応答速度が遅く、色再現性が低いと共にＬＣＤパネルの軽薄短小化に適切でない短所を有している。
【０００３】
これに対してＬＥＤは新環境で、応答速度が数ナノ秒と高速応答が可能でビデオ信号ストリームに効果的で、インパルシブ(Ｉｍｐｕｌｓｉｖｅ)駆動が可能で、色再現性が１００％以上で、赤色、緑色、青色ＬＥＤの光量を調整して輝度、色温度などを任意で変更できると共に、ＬＣＤパネルの軽薄短小化に適合な長所を有し、最近ではＬＣＤパネル等のバックライト用光源として積極的に採用されている。
【０００４】
このようにＬＥＤを採用したＬＣＤバックライトは、光源の位置によってエッジ型バックライトと直下型バックライトとに分けることが出来る。エッジ型バックライトは、横の長さが長いバー形態の光源が側面に位置して導光板を用いてＬＣＤパネルの全面に光を照射する方式を採択したバックライトで、直下型バックライトは、ＬＣＤパネルの下部に位置しＬＣＤパネルとほぼ同一な面積を有する面光源から直接ＬＣＤパネルの全面に光を照射する方式を採択したバックライトである。
【０００５】
従来の直下型ＬＣＤパネルに使用される面光源は赤色、緑色、青色の光を混合して白色光を生成するため、図１の(ａ)に図示した通り、四辺形の一方の対角線方向に赤色および青色ＬＥＤが配置され、他方の対角線方向に２つの緑色ＬＥＤが配置された２×２のＬＥＤマトリックス３０５を縦横に複数個配列した面光源３００が採用される。
【０００６】
以下の説明において参照する図面において、「Ｒ」は赤色光を放出する赤色ＬＥＤを示し、「Ｇ」は緑色光を放出する緑色ＬＥＤを示し、「Ｂ」は青色光を放出する青色ＬＥＤを示す。一般的に白色光を生成するために２つの緑色ＬＥＤと一つの赤色ＬＥＤ及び青色ＬＥＤが採用される。
【０００７】
図１の(ｂ)は、上記のＬＥＤマトリックス３０５を縦横に複数個配列した面光源３００のＬＥＤ配置を示す。図１の(ｂ)に示すＬＥＤ配置において、面光源３００の中心部で比較的赤色、緑色、青色光の混合が円滑に行われ均一な白色光を生成することが出来るが、面光源３００の四方のエッジ部３１１、３１２において青色または赤色ＬＥＤが適切に配置されていないので、赤色または青色がかった光が放出される。
【０００８】
即ち、図１の(ｂ)において、エッジ部３１１では赤色ＬＥＤ(Ｒ)と緑色ＬＥＤ(Ｇ)だけが繰り返して配置され、青色ＬＥＤ(Ｂ)が配置され得ないため赤色がかった(ｒｅｄｄｉｓｈ)光を放出することとなり、エッジ部３１２では、青色ＬＥＤ(Ｂ)と緑色ＬＥＤ(Ｇ)だけが繰り返して配置され、赤色ＬＥＤ(Ｒ)が配置され得ないため青色がかった(ｂｌｕｉｓｈ)光を放出する。したがって、従来のＬＥＤ配置を採用した面光源３００はそのエッジ部３１１、３１２から均一な白色光が放出できないという課題がある。
【０００９】
図２はこのような課題を解決するための従来の他の実施形態による面光源４００のＬＥＤ配置を図示した概略図である。図２に図示された実施形態による面光源４００が有するマトリックス構造は、第１列４１０に上記複数個のＬＥＤが青色、緑色、緑色、赤色の順に一列で繰り返して配置され、上記第１列４１０に隣している第２列４２０に上記複数個のＬＥＤが緑色、赤色、青色、緑色の順に一列で配置され、その次に第３列４３０に緑色、青色、赤色、緑色の列が配置され、その次に第４列４４０に赤色、緑色、緑色、青色が配置されたマトリックス構造を有し、このようなマトリックス構造が繰り返される。
【００１０】
このような、マトリックス構造の従来の面光源４００では、エッジ部４１１、４１２で緑色、赤色、青色、緑色のＬＥＤがある程度配置されるので均一な白色光を得ることはできるが、面光源４００の中央で４つの緑色ＬＥＤが重なる緑色ＬＥＤ領域４１５が存在する。このような緑色ＬＥＤ領域４１５では、緑色光が強くなり色むらが発生するという課題がある。
【００１１】
上記のようなマトリックス配列を有する面光源４００について光シミュレーションを実行した結果、図３に示す色座標分布４５０が得られた。このような色座標分布４５０は図６および図７に示す色分布度および人間の色分解能力を図示したグラフに対比してみると緑色が強く分布し、人間が敏感に色分布を感じる領域であることが分かる。即ち、図３の従来の色座標分布４５０はＸ軸とＹ軸が反比例する、つまりＸ軸の値が高いとＹ軸の値が低く、Ｘ軸の値が低いとＹ軸の値が高い方向に分布するものであるため、これを図６に対照してみると、緑色の色分布が大きいことであり、図７において人間が感じる色感知度と類似な領域、即ち中央の小さい楕円領域４６２から外れ、敏感に色相を感じる領域、即ち外郭の大きい楕円領域４６４に該当され、人間は白色光ではない他の色相と認識する。
【００１２】
従って、このような従来の面光源４００を用いたＬＣＤ用バックライトユニットは、色むらが存在して好ましい白色光の均一な分布を得ることができなかった。
【発明の開示】
【発明が解決しようとする課題】
【００１３】
本発明は前述の従来技術の課題を解決するため案出されたものとして、その目的は、赤色、緑色および青色の光を発光するＬＥＤを適切に配置することにより、エッジ部から均一な白色光を生成することが出来る色むら特性が改善されたＬＥＤ面光源およびこれを具備するＬＣＤバックライトユニットを提供することにある。
【００１４】
本発明の他の目的は、面光源から放出される白色光が人間の色感知度と類似で色むらが少なく見える、色むら特性が改善されたＬＥＤ面光源およびこれを具備するＬＣＤバックライトユニットを提供することにある。
【００１５】
そして、本発明のまた異なる目的は白色光の領域が色座標のＸ軸とＹ軸の対角線方向に分布され均一な白色光を得ることが可能な色むら特性が改善されたＬＥＤ面光源およびこれを具備するＬＣＤバックライトユニットを提供することにある。
【課題を解決するための手段】
【００１６】
上記目的を達成するために、本発明は、複数個の赤色ＬＥＤ，緑色ＬＥＤ、および青色ＬＥＤが行と列に配置された面光源において、２つの緑色ＬＥＤ、一つの赤色ＬＥＤ、および一つの青色ＬＥＤを、これらの順に隣接して配置した第１ＬＥＤ配列、および、２つの緑色ＬＥＤ、一つの青色ＬＥＤ、および一つの赤色ＬＥＤを、これらの順に隣接して配置した第２ＬＥＤ配列を含み、第１および第２ＬＥＤ配列は任意の行または列に配置され、２つの緑色ＬＥＤを取り囲むＬＥＤが、赤色ＬＥＤまたは青色ＬＥＤからなることを特徴とする面光源を提供する。
【００１７】
そして本発明は、好ましく、上記第１および第２ＬＥＤ配列は各々複数に対を成し順番に反復配置される面光源を提供する。
【００１８】
また、本発明は好ましく、上記第１および第２ＬＥＤ配列は各々その配置の位置が２つのＬＥＤほど相互ずれて(ｏｆｆｓｅｔ)２つの緑色ＬＥＤは相互上下または左右に重畳配置されない構造の面光源を提供する。
【００１９】
また、本発明は、ＬＣＤパネルに付着されたＬＣＤバックライトユニットにおいて、隣接している２つの緑色ＬＥＤと、これに隣接して一つの赤色ＬＥＤと青色ＬＥＤを順番に配置した第１ＬＥＤ配列および、隣接している２つの緑色ＬＥＤと、これに隣接して一つの青色ＬＥＤと赤色ＬＥＤを順番に配置した第２ＬＥＤ配列を含み、上記第１および第２ＬＥＤ配列は任意の行または列に配置され、上記第１および第２ＬＥＤ配列は２つの緑色ＬＥＤを取り囲むＬＥＤが赤色または青色ＬＥＤからなる面光源と、上記面光源から入射された光を均一に拡散させる拡散シート、および、上記拡散シートから拡散された光を集光する集光シートと、を含むＬＣＤバックライトユニットを提供する。
【発明の効果】
【００２０】
本発明の面光源は、赤色、緑色および青色の光を発光するＬＥＤを配置するが、２つの緑色ＬＥＤを取り囲むＬＥＤが赤色または青色ＬＥＤからなるようにすることにより、面光源のエッジ部でも中心部と比べほぼ色むらがない均一な白色光を生成することができる。
【００２１】
そして、本発明は面光源から放出される白色光が人間の色感知度と類似で色むらが少なく見えるようにして均一な白色光を得ることができる。
【００２２】
さらに、本発明は白色光の領域が色座標のＸ軸とＹ軸の対角線方向に分布され均一な白色光を得ることが出来ることにより、より鮮明な映像のＬＣＤバックライトユニットを提供することができる。
【発明を実施するための最良の形態】
【００２３】
以下、添付の図面を参照に本発明の好ましい実施形態をより詳細に説明する。
【００２４】
図４に示すように、本実施形態の面光源１は、複数個のＲ、Ｇ、Ｂ  ＬＥＤ素子が行と列に配列された構造を有する。
【００２５】
以下の説明において参照する図面において、「Ｒ」は赤色光を放出する赤色ＬＥＤを示し、「Ｇ」は緑色光を放出する緑色ＬＥＤを示し、「Ｂ」は青色光を放出する青色ＬＥＤを示す。また、本明細書において、「赤色ＬＥＤ」という用語は赤色光を放出するＬＥＤ、「緑色ＬＥＤ」という用語は緑色光を放出するＬＥＤ、「青色ＬＥＤ」という用語は青色光を放出するＬＥＤを意味する。
【００２６】
本実施形態の面光源１は、隣接する２つの緑色ＬＥＤと、これに隣接して一つの赤色ＬＥＤと青色ＬＥＤを順番に配置した第１ＬＥＤ配列１０を具備する。図４において、第１ＬＥＤ配列１０は、第１、２、５、６行に配置されている。
【００２７】
また、本実施形態の面光源１は、隣接する２つの緑色ＬＥＤと、これに隣接して一つの青色ＬＥＤと赤色ＬＥＤを順番に配置した第２ＬＥＤ配列２０を具備する。図４において、第２ＬＥＤ配列２０は、第３、４、７、８行を成す。
【００２８】
さらに、本実施形態の面光源１は、上記第１ＬＥＤ配列１０および第２ＬＥＤ配列２０が任意の行または列に配置され、上記第１ＬＥＤ配列１０および第２ＬＥＤ配列２０は２つの緑色ＬＥＤを取り囲むものが赤色または青色ＬＥＤからなる構造である。
【００２９】
即ち、図４に示すように、本実施形態の面光源１は例えば、第１ＬＥＤ配列１０および第２ＬＥＤ配列２０が全て行方向に配置されている。しかし、このような行方向への配置は面光源１を９０度回転させると列方向に配置され得る。従って、第１ＬＥＤ配列１０および第２ＬＥＤ配列２０は全て行方向に配置されるか、または全て列方向に配置されてよい。
【００３０】
図４において、このような配置構造は、第１ＬＥＤ配列１０の場合、複数個のＬＥＤを青色、緑色、緑色、赤色の順に繰り返して一列で配置したものである。即ち、上記第１ＬＥＤ配列１０を構成する各ＬＥＤの色配置は「…−緑−緑−赤−青−緑−緑−赤−青−緑−緑−赤−青−緑−…」となる。
【００３１】
図４において、第１行の第１ＬＥＤ配列１０に対して第２行の第１ＬＥＤ配列１０は、その配置位置が２個のＬＥＤ位相互ずれて(ｏｆｆｓｅｔ)配置される。即ち２つの緑色ＬＥＤが第１行と第２行で相互上下または左右に重畳配置されない構造である。
【００３２】
即ち、第２行は各ＬＥＤの色配置が「…−赤−青−緑−緑−赤−青−緑−緑−赤−青−緑−緑−赤−…」となる。
【００３３】
また、このような第１ＬＥＤ配列１０の配置構造は第５、６行に同一に適用される。即ち第５、６行の第１ＬＥＤ配列１０は第１、２行の第１ＬＥＤ配列１０を繰り返す。
【００３４】
一方、第２ＬＥＤ配列２０で配置された第３、４、７、８行の場合もこれと類似に配置される。
【００３５】
即ち、図４において第２ＬＥＤ配列２０の場合、複数個のＬＥＤを赤色、緑色、緑色、青色の順に繰り返して一列で配置したものである。即ち、上記第２ＬＥＤ配列２０を構成する第３行の各ＬＥＤの色配置は「…−緑−緑−青−赤−緑−緑−青−赤−緑−緑−青−赤−緑−…」となる。
【００３６】
そして、第３行の第２ＬＥＤ配列２０に対して第４行の第２ＬＥＤ配列２０は、その配置位置が２個のＬＥＤ位相互ずれて(ｏｆｆｓｅｔ)配置される。即ち、２つの緑色ＬＥＤが第３行と第４行で相互上下または左右に重畳配置されない構造である。
【００３７】
従って、上記第２ＬＥＤ配列２０を構成する第４行の各ＬＥＤの色配置は「…−青−赤−緑−緑−青−赤−緑−緑−青−赤−緑−緑−青−…」となる。
【００３８】
また、このような第２ＬＥＤ配列２０の配置構造は第７、８行でも同一に適用される。即ち、第７、８行の第２ＬＥＤ配列２０は第３、４行の第２ＬＥＤ配列２０を繰り返す。
【００３９】
上記から分かるように、上記第１ＬＥＤ配列１０および第２ＬＥＤ配列２０は各々複数で対を成し順番に反復配置されるものである。
【００４０】
さらに、第１ＬＥＤ配列１０と第２ＬＥＤ配列２０が相互隣接する、第２、３行と、第６、７行の場合にも２つの緑色ＬＥＤが相互上下または左右に重畳配置されない構造である。
【００４１】
従って、上記のように配置される本実施形態の面光源１は結果的には第１ＬＥＤ配列１０および第２ＬＥＤ配列２０が任意の行または列に配置されることが可能で、上記第１ＬＥＤ配列１０および第２ＬＥＤ配列２０は２つの緑色ＬＥＤを取り囲むＬＥＤが赤色または青色ＬＥＤからなる領域を多数含むものである。
【００４２】
上記において、例えば図４に関連して横×縦の各々８×８個のマトリックス構造を有する面光源１に関して説明したが、本発明の実施形態はこれに限定されず、より多くの数のＬＥＤを有する面光源またはより少ない数のＬＥＤを有する面光源に適用することができる。
【００４３】
上記のような第１ＬＥＤ配列１０および第２ＬＥＤ配列２０が配された場合に、複数の行により形成される列(ｒｏｗ)の方向においても、赤色、緑色、青色および緑色のＬＥＤが均一に配置される。従って、面光源１は、エッジ部から均一な白色光を生成することできる。
【００４４】
即ち、面光源１において、行であるエッジ部３２、３４は、各々第１ＬＥＤ配列１０または第２ＬＥＤ配列２０と同一であり、赤色ＬＥＤおよび青色ＬＥＤ一つと緑色ＬＥＤ２つが繰り返して配置された構造を有するので、青色または赤色に傾かない均一な白色光を放出できる。また、列に成っているエッジ部３６、３８でも、「緑色−青色−緑色−赤色」のＬＥＤが順番に繰り返して配置されるので、青色または赤色に傾かない均一な白色光が放出できる。また、面光源１の中心部から２つの緑色ＬＥＤが他の２つの緑色ＬＥＤに重畳されず相互ずれて配置されるため緑色に傾かない均一な白色光が放出できる。
【００４５】
上記のような面光源１は、光シミュレーションを実行した結果、図５に示す色座標分布１００を有する。このような色座標分布１００は、図６および図７に示す色分布度と、人間の色分解能力を図示したグラフに対比してみると白色光が位置する部分に分布し、人間が敏感に色分布を感じることが出来ない楕円形の大きさが小さい領域４６２に該当することが分かる。
【００４６】
即ち、図５に示すように、面光源１から得られた色座標分布１００は、Ｘ軸とＹ軸が比例する、即ちＸ軸の値が高いとＹ軸の値が高く、Ｘ軸の値が低いとＹ軸の値が低い対角線方向に分布するので、図６において白色光の色座標分布１００に該当し、図７において人間が感じ難い色感知度と類似な領域、即ち中央の小さい楕円領域４６２に分布され人間は他の色相を感じ得ず白色光と認識するのである。
【００４７】
従って、このような本発明の面光源１は色むらが除去され好ましい白色光の均一な分布を得ることができる。
【００４８】
本実施形態の面光源１は、ＬＣＤパネルの後面光を照射するＬＣＤバックライトユニット２００に採用することができる。図８は本発明の一実施形態によるＬＣＤバックライトユニット２００を図示した分解側面図である。図８に図示された通り、ＬＣＤパネルの後面に付着されたＬＣＤバックライトユニット２００は、上記の面光源１を具備し、上記面光源１のＬＣＤパネル２１０側に具備され、上記面光源１から入射された光を均一に拡散させる拡散シート２１６を含む。
【００４９】
そして、上記拡散シート２１６のＬＣＤパネル２１０側に具備され、上記拡散シート２１６から拡散された光を上記ＬＣＤパネル２１０平面に対して垂直方向に集光する少なくとも一つの集光シート２１４等を含んで構成される。さらに、ＬＣＤバックライトユニット２００は、上記集光シート２１４上に配置され下部の光学構造物を保護するための保護シート２１２を追加で含むことが出来る。
【００５０】
また、上記面光源１は、基板２５１と、上記基板２５１上に前述のマトリックス構造で配置された複数個のＬＥＤ２５２とを含む。さらに、上記基板２５１上面の縁から上記マトリックス構造で配置されたＬＥＤ２５２を取り囲むよう形成され、上記ＬＥＤ２５２が配置された方向に傾斜面を有する側壁２５４と、上記基板２５１の上面に形成されＬＥＤ２５２から放出された光を上部に反射する反射層２５６をさらに具備することができる。
【００５１】
そして軸方向に放出される光を上部に放出できるよう上記側壁２５４の傾斜面にも反射物質２５４ａが塗布されることが好ましい。
【００５２】
そして上記面光源１の上部に位置した上記拡散シート２１６は、上記面光源１から入射される光を分散させることにより光が部分的に密集されることを防止する。また、上記拡散シート２１６は上記第１集光シート２１４ａ側に進行する光の方向を調整して上記第１集光シート２１４ａに対する傾斜角を減らす役割も兼ねて遂行する。
【００５３】
上記第１集光シート２１４ａと第２集光シート２１４ｂは各々上部面に三角柱模様のプリズームが一定な配列を有して形成されており、上記第１集光シート２１４ａのプリズーム配列と上記第２集光シート２１４ｂのプリズーム配列は相互所定の角度(例えば、９０°)にずれるよう配置される。上記第１および第２集光シート２１４ａ、２１４ｂは各々上記拡散シート２１６から拡散された光を上記ＬＣＤパネル２１０平面に垂直な方向に集光する役割を遂行し、これによって第１および第２集光シート２１４ａ、２１４ｂを通過した光の保護シート２１２に対する垂直入射性がほぼ完璧に得られる。これによって、上記第１および第２集光シート２１４ａ、２１４ｂを通過する光は殆どが垂直に進行されることとなり、上記保護シート２１２上の輝度分布は均一に得られる。図８には２個の集光シートを使用する一例を図示したが、場合によって一つの集光シートだけを使用する場合もある。
【００５４】
上記第２集光シート２１４ｂの上部に形成される保護シート２１２は、上記第２集光シート２１４ｂの表面を保護する役割を遂行するだけではなく、光の分布を均一にするため光を拡散させる役割を遂行する。ＬＣＤパネル２１０は上記保護シート２１２上に設置される。
【００５５】
このように、本実施形態によるＬＣＤバックライトユニット２００は、面光源１がＬＣＤパネルの後面全体を直接照明する直下型である上に、面光源１はエッジ部からも均一な白色光を放出できるのは勿論、色むらを除去して全体的に均一な白色光を得ることが出来るので、従来の側面光源を用いたエッジ型ＬＣＤに比べ導光板の構造物を低減することが可能で、軽量化、スリーム化に適合で、鮮明な映像を提供することが出来る。
【００５６】
上記から本発明は、特定の実施例に関して図示され説明したが、これは単なる例示として本発明を説明するため記載されたもので、本発明をこのような特定構造で制限することではない。当業界において通常の知識を有している者であれば、特許請求の範囲に記載された本発明の思想及び領域を外れない範囲内で本発明を多様に修正及び変更できることが分かる。しかし、このような修正及び変形構造らは全て本発明の権利範囲内に含まれることを明らかにする。
【図面の簡単な説明】
【００５７】
【図１】(ａ)は従来の面光源に使用されたＬＥＤマトリックス３０５の配置を示す概略平面図であり、(ｂ)は(ａ)に示すＬＥＤマトリックス３０５を採用した面光源３００のＬＥＤ配置を示す概略平面図である。
【図２】従来の面光源４００のＬＥＤ配置を示す平面図である。
【図３】図２に示す従来の面光源４００の光シミュレーションの結果得られた色座標分布４５０を図示したグラフである。
【図４】面光源１のＬＥＤ配置を示す平面図である。
【図５】面光源１の光シミュレーションの結果得られた色座標分布１００を図示したグラフである。
【図６】一般的な色座標による色の分布を示したグラフである。
【図７】人間の色分解能力を表わしたグラフとして、各々の楕円は人間が一つの色として認識する領域を示す。
【図８】ＬＣＤバックライトユニット２００の分解断面図である。
【符号の説明】
【００５８】
１  面光源
１０  第１ＬＥＤ配列
２０  第２ＬＥＤ配列
３２、３４、３６、３８  エッジ部
１００  色座標分布
２００  ＬＣＤバックライトユニット
２１０  ＬＣＤパネル
２１２  保護シート
２１４  集光シート
２１６  拡散シート
２５１  基板
２５２  ＬＥＤ
２５４  側壁
２５６  反射層
３００、４００  面光源
３０５  ＬＥＤマトリックス
３１１、３１２、４１１、４１２  エッジ部
４１０  第１列
４２０  第２列
４３０  第３列
４４０  第４列
４１５  緑色ＬＥＤ領域
４５０  色座標分布
４６２  小さい楕円領域
４６４  大きい楕円領域
【図１】
2010245052.tif 000003
【図２】
2010245052.tif 000004
【図３】
2010245052.tif 000005
【図４】
2010245052.tif 000006
【図５】
2010245052.tif 000007
【図６】
2010245052.tif 000008
【図７】
2010245052.tif 000009
【図８】
2010245052.tif 000010
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
複数個の赤色ＬＥＤ，緑色ＬＥＤ、および青色ＬＥＤが行と列に配置された面光源において、
２つの緑色ＬＥＤ、１つの赤色ＬＥＤ、および１つの青色ＬＥＤを、これらの順に別部材を介さずに一定の間隔で隣接させて反復配置した第１ＬＥＤ配列、および、
２つの緑色ＬＥＤ、１つの青色ＬＥＤ、および１つの赤色ＬＥＤを、これらの順に別部材を介さずに前記一定の間隔で隣接させて反復配置した第２ＬＥＤ配列を含み、
前記第１ＬＥＤ配列および前記第２ＬＥＤ配列は、前記２つの緑色ＬＥＤの上下左右に前記青色ＬＥＤまたは前記赤色ＬＥＤが配置されるように、任意の順で別部材を介さずに前記一定の間隔で配置され、
ｘ軸の値が高いとｙ軸の値が高く、ｘ軸の値が低いとｙ軸の値が低い、対角線方向に比例して分布する色座標分布を有することを特徴とする面光源。
【請求項２】
複数個の赤色ＬＥＤ，緑色ＬＥＤ、および青色ＬＥＤが行と列に配置された面光源において、
隣接した２つの緑色ＬＥＤと、前記隣接した２つの緑色ＬＥＤに隣接した１つの赤色ＬＥＤと１つの青色ＬＥＤとをこの順に連続して反復配置した第１ＬＥＤ配列、および、
隣接した２つの緑色ＬＥＤと、前記隣接した２つの緑色ＬＥＤに隣接した１つの青色ＬＥＤと１つの赤色ＬＥＤとをこの順に連続して反復配置した第２ＬＥＤ配列を含み、
前記第１ＬＥＤ配列および前記第２ＬＥＤ配列は任意の行または列に配置され、隣り合う前記第１ＬＥＤ配列および前記第２ＬＥＤ配列の間隔は同一であり、前記第１ＬＥＤ配列および前記第２ＬＥＤ配列における前記青色ＬＥＤと前記赤色ＬＥＤは、前記隣接した２つの緑色ＬＥＤを他の部材を介さずに上下左右に取り囲み、前記面光源のエッジ部に沿って配置される緑色ＬＥＤ、青色ＬＥＤおよび赤色ＬＥＤの数の比は２：１：１であることを特徴とする面光源。
【請求項３】
前記第１ＬＥＤ配列および前記第２ＬＥＤ配列は、各々複数で対を成して順番に繰り返し配置されることを特徴とする請求項１または２に記載の面光源。
【請求項４】
前記第１ＬＥＤ配列および前記第２ＬＥＤ配列は、各々その配置の位置が２個のＬＥＤだけ位相がずれて(ｏｆｆｓｅｔ)配置され、前記２つの前記緑色ＬＥＤは相互上下または左右に重畳配置されない構造であることを特徴とする請求項３に記載の面光源。
【請求項５】
前記面光源は、
前記第１ＬＥＤ配列が１対で相互隣接して行方向に２つのＬＥＤだけ位相がずれて列方向にそれぞれ配置され、前記第１ＬＥＤ配列に隣接し、前記第２ＬＥＤ配列が１対で相互隣接して行方向に２つのＬＥＤだけ位相がずれて列方向にそれぞれ配置され、前記１対の第１ＬＥＤ配列と前記１対の第２ＬＥＤ配列はそれぞれ列方向に順に交互に繰り返し配置されることを特徴とする請求項１から４の何れか１項に記載の面光源。
【請求項６】
複数個の赤色ＬＥＤ，緑色ＬＥＤ、および青色ＬＥＤが行と列に配置された面光源において、
前記面光源のＬＥＤ配列は、
第１列および第２列がそれぞれ、２つの緑色ＬＥＤ、１つの赤色ＬＥＤ、および１つの青色ＬＥＤを、これらの順に別部材を介さずに一定の間隔で隣接させて行方向に反復配置した第１ＬＥＤ配列で配置され、
第３列および第４列がそれぞれ、２つの緑色ＬＥＤ、１つの青色ＬＥＤ、および１つの赤色ＬＥＤを、これらの順に別部材を介さずに一定の間隔で隣接させて前記行方向に反復配置した第２ＬＥＤ配列で配置され、
緑色ＬＥＤが列方向で隣接しないように、前記第１列、前記第２列、前記第３列および前記第４列を、前記列方向にこれらの順で反復配置させることを特徴とする面光源。
【請求項７】
複数個の赤色ＬＥＤ，緑色ＬＥＤ、および青色ＬＥＤが行と列に配置された面光源において、
前記面光源のＬＥＤ配列は、
第１列および第２列がそれぞれ、２つの緑色ＬＥＤ、１つの赤色ＬＥＤ、および１つの青色ＬＥＤを、これらの順に一定の間隔で隣接させて行方向に反復配置した第１ＬＥＤ配列で配置され、
第３列および第４列がそれぞれ、２つの緑色ＬＥＤ、１つの青色ＬＥＤ、および１つの赤色ＬＥＤを、これらの順に一定の間隔で隣接させて前記行方向に反復配置した第２ＬＥＤ配列で配置され、
緑色ＬＥＤが列方向で隣接しないように、前記第１列、前記第２列、前記第３列および前記第４列を、前記列方向にこれらの順で反復配置させることを特徴とする面光源。
【請求項８】
前記面光源のエッジ部に沿って配置される緑色ＬＥＤ、青色ＬＥＤおよび赤色ＬＥＤの数の比は２：１：１であることを特徴とする請求項６または７に記載の面光源。
【請求項９】
ＬＥＤパネルに付着されたＬＥＤバックライトユニットにおいて、
請求項１から８の何れか１項に記載の面光源と、
前記面光源から入射された光を均一に拡散させる拡散シートと、
前記拡散シートから拡散された光を集光する集光シートと
を含むことを特徴とするＬＣＤバックライトユニット。